(57)【要約】開示された発明は、コンセントアダプタ（１１０）およびプラグアダプタ（１２０）を備える電力の非接触伝送用アダプタアセンブリであって、コンセントアダプタ（１１０）およびプラグアダプタ（１２０）は、磁力による相互接続のための、それぞれ対応する磁気固定手段（１１３，１２３）を備えている。コンセントアダプタ（１１０）およびプラグアダプタ（１２０）は、コンセントアダプタ（１１０）が変圧器（１３２）の１次側（１３１）を含み、プラグアダプタ（１２０）が変圧器（１３２）の２次側（１３３）を含むことで、電力の非接触伝送用手段が設けられ、コンセントアダプタ（１１０）およびプラグアダプタ（１２０）が、磁気固定手段（１１３，１２３）を介して互いに接続されると、変圧器（１３２）は、電力伝送部品間の物理的接触なしに、コンセントアダプタ（１１０）からプラグアダプタ（１２０）へ電力を伝送することができる。【選択図】図２ａ
2020516229.tif 000002
【特許請求の範囲】
【請求項１】
コンセントアダプタ（１１０）およびプラグアダプタ（１２０）を備える電力の非接触伝送用アダプタアセンブリであって、
前記コンセントアダプタ（１１０）および前記プラグアダプタ（１２０）は、
磁力による相互接続のための、それぞれ対応する磁気固定手段（１１３，１２３）を備え、
前記コンセントアダプタ（１１０）および前記プラグアダプタ（１２０）は、
前記コンセントアダプタ（１１０）が変圧器（１３２）の１次側（１３１）を含み、前記プラグアダプタ（１２０）が変圧器（１３２）の２次側（１３３）を含む、電力の非接触伝送用手段を備え、
前記コンセントアダプタ（１１０）および前記プラグアダプタ（１２０）が、磁気固定手段（１１３，１２３）を介して互いに接続されると、前記変圧器（１３２）は、電力伝送部品間の物理的接触なしに、前記コンセントアダプタ（１１０）から前記プラグアダプタ（１２０）へ電力を伝送することができ、
前記コンセントアダプタ（１１０）は、前記変圧器（１３２）の１次側（１３１）および前記磁気固定手段（１１３）を収容する本体（１１１）備え、
前記磁気固定手段（１１３）は、前記本体（１１１）に埋め込まれ、前記磁気固定手段（１２３）を受け入れて収容するように配置され、
前記プラグアダプタ（１２０）は、前記変圧器（１３２）の２次側（１３３）および前記磁気固定手段（１２３）を収容する本体（１２１）を備え、
前記磁気固定手段（１２３）は、前記本体（１２１）から突出し、前記磁石固定手段（１１３）に適合するように配置される、
アダプタアセンブリ。
【請求項２】
前記コンセントアダプタ（１１０）の前記磁気結合手段（１１３）は、
前記本体（１１１）の前面における円形凹部に配置される、
ことを特徴とする、請求項１に記載のアダプタアセンブリ。
【請求項３】
前記本体（１１１）は、前面に、前記磁気結合手段（１１３）を備えた２つ以上の前記円形凹部を備える、
ことを特徴とする、請求項２に記載のアダプタアセンブリ。
【請求項４】
前記プラグアダプタ（１２０）の前記磁気結合手段（１２３）は、
前記本体（１２１）の前面における円形凸部に配置される、
ことを特徴とする、請求項１に記載のアダプタアセンブリ。
【請求項５】
前記本体（１２１）は、前側に、前記磁気結合手段（１２３）を備えた２つ以上の前記円形凸部を備える、
ことを特徴とする、請求項４に記載のアダプタアセンブリ。
【請求項６】
前記コンセントアダプタ（１１０）は、ＡＣ電源コード（２２）に接続される、
ことを特徴とする、請求項１に記載のアダプタアセンブリ。
【請求項７】
前記プラグアダプタ（１２０）は、ＡＣ電源コード（２２）に接続される、
ことを特徴とする、請求項１に記載のアダプタアセンブリ。
【請求項８】
２つのＡＣ電源コード（２２）を接続するための、前記コンセントアダプタ（１１０）がメスコネクタであり、前記プラグアダプタ（１２０）がオスコネクタである、
ことを特徴とする請求項６又は７に記載のアダプタアセンブリ。
【請求項９】
２つ以上のコンセントアダプタ（１１０）は、本体において、上下に設けられており、
前記本体は、壁に設置するために配置されたコンセントカバーまたはカバーボックス（１６０）であり、
前記コンセントアダプタ（１１０）は、ＡＣ電源に接続されている、
ことを特徴とする請求項１に記載のアダプタアセンブリ。
【請求項１０】
２つ以上のコンセントアダプタ（１１０）およびジャンクションボックス（１１）は、
壁（２００）のキャビティ（２０１）に適合して配置され、コンセントカバー（１６０）と一体化する、
ことを特徴とする、請求項１に記載のアダプタアセンブリ。
【請求項１１】
前記変圧器（１３２）は、
特定の周波数で供給されるＡＣ電流／電圧を、所望の周波数の所望の出力ＡＣ電流／電圧に変換するように構成される、
ことを特徴とする請求項１に記載のアダプタアセンブリ。
【請求項１２】
前記変圧器（１３２）は、
供給されるＡＣ電流／電圧を、所望のＤＣ電流／電圧に変換するように構成される、
ことを特徴とする請求項１に記載のアダプタアセンブリ。
【請求項１３】
前記コンセントアダプタ（１１０）および／または前記プラグアダプタ（１２０）は、
前記変圧器（１３２）の２次側（１３３）に接続された整流器ユニット（１３４）を備える、
ことを特徴とする請求項１２に記載のアダプタアセンブリ。
【請求項１４】
前記コンセントアダプタ（１１０）は、
標準的な電気コンセント（１０）への、および／または標準的な電気コンセント（１０）からの配置に関連して、前記コンセントアダプタ（１１０）を、取り扱い易くするクリップ（１５０）を受け入れるように適合された少なくとも１つのトラック（１４０）を備える、
ことを特徴とする請求項１に記載のアダプタアセンブリ。
【請求項１５】
前記コンセントアダプタ（１１０）は、
一端がＡＣ電源に接続され、他端が前記プラグアダプタ（１２０）に接続され、
前記プラグアダプタ（１２０）は、
一端が電源コード（２２）に接続され、他端が前記コンセントアダプタ（１１０）に接続され、
前記コンセントアダプタ（１１０）および前記プラグアダプタ（１２０）は、
それぞれ磁気固定手段（１１３，１２３）を備える、
ことを特徴とする請求項１に記載のアダプタアセンブリ。
【請求項１６】
電力の非接触伝送用コンセントアダプタ（１１０）であって、
前記コンセントアダプタ（１１０）は、磁気固定手段（１１３）および電力の非接触伝送用手段を備え、
前記コンセントアダプタ（１１０）は、電力伝送部品間の物理的接触無しに、前記コンセントアダプタ（１１０）から前記プラグアダプタ（１２０）へ電力を伝送するための変圧器（１３２）の１次側（１３１）を含むことで、電力の非接触伝送用手段と、が設けられている、前記コンセントアダプタ（１１０）において、
前記コンセントアダプタ（１１０）は、変圧器（１３２）の１次側（１３１）および磁気固定手段（１１３）を収容する本体（１１１）を備え、
前記磁気固定手段（１１３）は、本体（１１１）に埋め込まれ、前記プラグアダプタ（１２０）における磁気固定手段（１２３）を受け入れて収容するように配置される、
ことを特徴とするコンセントアダプタ。
【請求項１７】
電力の非接触伝送用プラグアダプタ（１２０）であって、
前記プラグアダプタ（１２０）は、磁気固定手段（１２３）および電力の非接触伝送用手段を備え、
前記プラグアダプタ（１２０）は、電力伝送部品間の物理的接触無しに、前記プラグアダプタ（１２０）から前記コンセントアダプタ（１１０）へ電力を伝送するための変圧器（１３２）の２次側（１３３）を含むことで、電力の非接触伝送用手段と、が設けられている、前記プラグアダプタ（１２０）において、
前記プラグアダプタ（１２０）は、変圧器（１３２）の２次側（１３３）を収容する本体（１２１）および磁気固定手段（１２３）を備え、
前記磁気固定手段（１２３）は、本体（１２１）から突出し、前記コンセントアダプタ（１１０）における磁気固定手段（１１３）に適合するように配置される、
ことを特徴とするプラグアダプタ。
【発明の詳細な説明】
【技術分野】
【０００１】
本発明は、コンセントアダプタおよびプラグアダプタを備え、電力の非接触伝送用アダプタセンブリであって、コンセントアダプタおよびプラグアダプタは、磁力による相互接続のための、それぞれ対応する磁気固定手段を備え、コンセントアダプタおよびプラグアダプタは、コンセントアダプタが変圧器の１次側を含み、プラグアダプタが変圧器の２次側を含むことで、電力の非接触伝送用手段が設けられ、コンセントアダプタおよびプラグアダプタが、磁気固定手段を介して互いに接続されると、変圧器は、電力伝送部品間の物理的接触なしに、コンセントアダプタからプラグアダプタへ電力を伝送することができるアダプタセンブリに関するものである。
【０００２】
本発明は、特に、ＡＣ電源と電気機器などの電力消費装置との間における電気機器ののより簡単でより安全な使用を提供する、電力の非接触伝送用アダプタセンブリに関するものである。
【背景技術】
【０００３】
世界中で使用されている電気アウトレットとしても既知の様々な異なる電気コンセントが知られている。例えば、〔https://www.skyscanner.no/nyheter/ alt-du-trenger-vite-om-internasjonale-stikkontakter-og-reiseadaptere〕には、最も多く使用されるソリューションが説明されている。
【０００４】
US3363214には、一端に従来のベースボードソケットに収容されるプラグを、他端にテーパーを受け入れるためのソケット端子を、備えた磁気プラグアダプタ、および、一端にテーパー接点を、他端に従来のプラグのプロングを受け入れるソケットを、備えた第２アダプタ、が開示されている。２つのアダプタの合わせ面には、それぞれ磁石が配置されており、その保持力は、最初に記述したアダプタとコンセントとの間というよりむしろ、アダプタ間の分離を可能にする。
【０００５】
WO2014088215 A1には、プラグ型のアウトレットカバーセット、および、その設定方法が開示されている。そこでは、プラグアダプタおよびアウトレットカバーが使用され、アウトレットカバーは、電源アウトレットに差し込まれて、電源プラグは、プラグアダプタに差し込まれている。プラグアダプタおよびアウトレットカバーには磁石が組み込まれているため、プラグアダプタおよびアウトレットカバーは、電気を使用するためには、それらの内部の磁力により付着される。そして、コンセントカバーセットを取り外すと、コンセントカバーの磁石により電力が切断されるため、感電などの事故を防ぐことができる。
【０００６】
US9083110には、プラグとコンセントとの間の接続を維持するためのクイックディスコネクト電源アダプタが開示されている。様々な実施形態において、クイックディスコネクト電源アダプタは、取り外し可能な留め具で、電源から電気機器に電力を供給するための完全な回路を維持する。特定の実施形態において、取り外し可能な留め具は、１つ以上の磁石を含む。様々な実施形態において、クイックディスコネクト電源アダプタは、プラグおよびコンセントが係合していないときに、ユーザーが、プラグおよびコンセントの電気接点に触れたり、あるいは、接触したりすることができないように構成される。
【０００７】
従来技術の解決策の主な欠点は、導電性部品／要素間の物理的接触を必要とすることである。US3363214およびUS9083110では、プラグアダプタに導体が配置されている。一方で、WO2014088215では、プラグアダプタのコア磁石が、導電性部品／要素間の物理的接触のために使用されている。
【０００８】
US 2013/0303024 A1には、感電のリスクを軽減する安全な電気的相互接続が開示されている。電気相互接続は、標準的な電気ソケット、コンセント、又は、電気配線などに、適合する。それは、電気的に通電される接点を隠すけれども、少なくとも２つの部分間に電気エネルギーを誘導的に伝送することが可能である。この発明に係る第１の部分は、少なくとも第１の表面から突出している複数のプロング又はピンを使用して、標準的な電気ソケット又はアウトレットに直接差し込むことが可能である。この発明に係る第１の部分が、この発明の１つ以上の第２の部分に接続されると、誘導性の変圧器の作用を用いて、電気エネルギーをワイヤレスで通過させることが可能である。この発明に係るこれらの第２の部分は、電気器具又は機械プラグからの複数のプロング又はピンを受け入れることができる１つ又は複数のメスの接続部を有する。
【０００９】
JP H10208804 Aには、電力が供給される誘導コイルを内蔵した、密閉／防水コンセントと、このコンセントに取り付けられるときに、誘導コイルによって作られる磁場内に配置される誘導コイルを装備するとともに、誘導コイルの出力を負荷の仕様と、負荷接続用のコンセント部と、に対応する出力に変える電源供給調整部と、を装備するアダプタと、を備えている機器が開示されている。アダプタは、コンセントに対して着脱可能である。負荷接続用のコンセント部は、電磁誘導により、コンセントとの間で、非接触電力伝送を行うアダプタに設けられているため、そのコンセント自体は、通常の負荷に接続することが可能であるにも関わらず、完全な防水構造とすることができる。
【００１０】
US2003 / 186593A1には、コンセントとの配置に関連してプラグを取り扱い易くするクリップを受け入れるように適合された少なくとも１つのトラックを備える電気プラグが開示されている。
【００１１】
従来技術の解決策のさらなる欠点は、電気コンセントへのコンセントアダプタの適切な固定配置を提供していないことである。
【００１２】
従来技術の解決策のさらなる欠点は、伝送される電力を適切に変換するように配置されていないことである。
【００１３】
従来技術のさらなる欠点は、摩耗にさらされる可動部品を使用しているため、発熱や火災の危険性があることである。したがって、コンセントアダプタおよびプラグアダプタにおける導電性部品／要素間の物理的接触を必要としないアダプタセンブリが必要とされている。
【００１４】
さらに、コンセントアダプタを、ジャンクションボックス／電気コンセントに、安全に取り付けるアダプタセンブリが必要とされる。
【００１５】
さらに、供給される電力を、反対側に接続される電気機器にとって所望の電力に変換することができるアダプタセンブリが必要とされる。
【００１６】
さらに、可動部品なしで、摩耗、および、発熱や火災のリスクを減らすアダプタセンブリが必要とされる。
【発明の概要】
【発明が解決しようとする課題】
【００１７】
本発明の主な目的は、従来技術における上述の欠点を、部分的に又は完全に解決する、電力の非接触伝送用アダプタセンブリを提供することである。
【００１８】
本発明のさらなる他の目的は、電気機器のより簡単でより安全な使用を、ユーザーに提供する、電力の非接触伝送用アダプタセンブリを提供することである。
【００１９】
本発明のさらなる他の目的は、安全性を高めるために、既存の電気コンセントおよびプラグに、後付けするか又はそれらと交換することが可能な電力の非接触伝送用アダプタセンブリを提供することである。
【００２０】
本発明の目的は、安全性を高め、子供および若者達などが、通常ありえないような接触により感電することを防止する、電力の非接触伝送用アダプタセンブリを提供することである。
【００２１】
本発明のさらなる他の目的は、コンセントおよびプラグの全ての標準規格、ならびに電源グリッド規格に適合させることができる、電力の非接触伝送用アダプタセンブリを提供することである。
【００２２】
本発明の目的は、既存のコンセント又はプラグから、容易に着脱可能な、電力の非接触伝送用アダプタセンブリを提供することである。
【００２３】
本発明のさらなる目的は、電力伝送部品間の物理的接触の必要性を除去する、電力の非接触伝送用アダプタセンブリを提供することである。
【００２４】
本発明のさらなる目的は、壁に取り付けられた電気コンセントにおける漏電を排除する、電力の非接触伝送用アダプタセンブリを提供することである。
【００２５】
本発明の目的は、固定設置による機械的摩耗がない、電力の非接触伝送用アダプタセンブリを提供することである。
【００２６】
本発明のさらなる目的は、発熱および火災のリスクを低減する、可動部品／構成要素がない、アダプタセンブリを提供することである。本発明のさらなる目的は、以下の説明、特許請求の範囲および添付図面を考慮することにより明らかになるであろう。
【００２７】
また、コンセントアダプタおよびプラグアダプタを、より安全に固定することも本発明の目的の１つである。
【課題を解決するための手段】
【００２８】
本発明に係る電力の非接触伝送用アダプタセンブリは、請求項１に開示されている。アダプタセンブリの好ましい特徴は、残りの請求項に開示されている。
【００２９】
コンセントアダプタおよびプラグアダプタを備え、電力の非接触伝送用アダプタアセンブリであって、コンセントアダプタおよびプラグアダプタは、磁力による相互接続のための、それぞれ対応する磁気固定手段を備え、コンセントアダプタおよびプラグアダプタは、コンセントアダプタが変圧器の１次側を含み、プラグアダプタが変圧器の２次側を含む、電力の非接触伝送用手段を備え、コンセントアダプタおよびプラグアダプタが、磁気固定手段を介して互いに接続されると、変圧器は、電力伝送部品間の物理的接触なしに、コンセントアダプタからプラグアダプタへ電力を伝送することができ、コンセントアダプタは、変圧器の１次側および磁気固定手段を収容する本体備え、磁気固定手段は、本体に埋め込まれ、磁気固定手段を受け入れて収容するように配置され、プラグアダプタは、変圧器の２次側および磁気固定手段を収容する本体を備え、磁気固定手段は、本体から突出し、磁石固定手段に適合するように配置される、アダプタアセンブリ。
【００３０】
コンセントアダプタの磁気結合手段は、本体の前面における円形凹部に配置される、ことを特徴とする、請求項１に記載のアダプタアセンブリ。
【００３１】
本体は、前面に、磁気結合手段を備えた２つ以上の円形凹部を備える、ことを特徴とする、請求項２に記載のアダプタアセンブリ。
【００３２】
プラグアダプタの磁気結合手段は、本体の前面における円形凸部に配置される、ことを特徴とする、請求項１に記載のアダプタアセンブリ。
【００３３】
本体（１２１）は、前側に、磁気結合手段を備えた２つ以上の円形凸部を備える、ことを特徴とする、請求項４に記載のアダプタアセンブリ。
【００３４】
コンセントアダプタは、ＡＣ電源コードに接続される、ことを特徴とする、請求項１に記載のアダプタアセンブリ。
【００３５】
プラグアダプタは、ＡＣ電源コードに接続される、ことを特徴とする、請求項１に記載のアダプタアセンブリ。
【００３６】
２つのＡＣ電源コードを接続するための、コンセントアダプタがメスコネクタであり、プラグアダプタがオスコネクタである、ことを特徴とする請求項６又は７に記載のアダプタアセンブリ。
【００３７】
２つ以上のコンセントアダプタは、本体において、上下に設けられており、本体は、壁に設置するために配置されたコンセントカバーまたはカバーボックスであり、コンセントアダプタは、ＡＣ電源に接続されている、ことを特徴とする請求項１に記載のアダプタアセンブリ。
【００３８】
２つ以上のコンセントアダプタおよびジャンクションボックスは、壁のキャビティに適合して配置され、コンセントカバーと一体化する、ことを特徴とする、請求項１に記載のアダプタアセンブリ。
【００３９】
変圧器は、特定の周波数で供給されるＡＣ電流／電圧を、所望の周波数の所望の出力ＡＣ電流／電圧に変換するように構成される、ことを特徴とする請求項１に記載のアダプタアセンブリ。
【００４０】
変圧器は、供給されるＡＣ電流／電圧を、所望のＤＣ電流／電圧に変換するように構成される、ことを特徴とする請求項１に記載のアダプタアセンブリ。
【００４１】
コンセントアダプタおよび／またはプラグアダプタは、変圧器の２次側に接続された整流器ユニットを備える、ことを特徴とする請求項１２に記載のアダプタアセンブリ。
【００４２】
コンセントアダプタは、標準的な電気コンセントへの、および／または標準的な電気コンセントからの配置に関連して、コンセントアダプタを、取り扱い易くするクリップを受け入れるように適合された少なくとも１つのトラックを備える、ことを特徴とする請求項１に記載のアダプタアセンブリ。
【００４３】
コンセントアダプタは、一端がＡＣ電源に接続され、他端がプラグアダプタに接続され、プラグアダプタは、一端が電源コードに接続され、他端がコンセントアダプタに接続され、コンセントアダプタおよびプラグアダプタは、それぞれ磁気固定手段を備える、ことを特徴とする請求項１に記載のアダプタアセンブリ。
【００４４】
電力の非接触伝送用コンセントアダプタであって、コンセントアダプタは、磁気固定手段および電力の非接触伝送用手段を備え、コンセントアダプタは、電力伝送部品間の物理的接触無しに、コンセントアダプタからプラグアダプタへ電力を伝送するための変圧器の１次側を含むことで、電力の非接触伝送用手段と、が設けられている、コンセントアダプタにおいて、コンセントアダプタは、変圧器の１次側および磁気固定手段を収容する本体を備え、磁気固定手段は、本体に埋め込まれ、プラグアダプタにおける磁気固定手段を受け入れて収容するように配置される、ことを特徴とするコンセントアダプタ。
【００４５】
電力の非接触伝送用プラグアダプタであって、プラグアダプタは、磁気固定手段および電力の非接触伝送用手段を備え、プラグアダプタは、電力伝送部品間の物理的接触無しに、プラグアダプタからコンセントアダプタへ電力を伝送するための変圧器の２次側を含むことで、電力の非接触伝送用手段と、が設けられている、プラグアダプタにおいて、プラグアダプタは、変圧器の２次側を収容する本体および磁気固定手段を備え、磁気固定手段は、本体から突出し、コンセントアダプタにおける磁気固定手段に適合するように配置される、ことを特徴とするプラグアダプタ。
【００４６】
本発明によれば、コンセントアダプタおよびプラグアダプタを備え、電力の非接触伝送用アダプタアセンブリが提供され、コンセントアダプタは、一端がＡＣ電源コードに接続され、他端がプラグアダプタに接続されるように適合され、プラグアダプタは、一端がＡＣ電源コードに接続され、他端がコンセントアダプタに接続されるように適合され、コンセントアダプタおよびプラグアダプタには、磁力によってこれらを互いに接続するために、対応する磁気固定装置がそれぞれ設けられ、コンセントアダプタに変圧器の１次側が配置され、プラグアダプタに変圧器の２次側が配置されて、コンセントアダプタおよびプラグアダプタが、磁気固定装置を介して互いに接続されると、変圧器が、電力伝送部品間の物理的接触無しに、プラグアダプタからコンセントアダプタへ電力を伝送することができることで、コンセントアダプタおよびプラグアダプタには、電力の非接触伝送用手段が設けられ、コンセントアダプタは、一端から突出している導電性コネクタに接続された変圧器の１次側を収容し、かつ、他端にて磁気固定装置を収容している本体によって形成され、磁気固定装置は、本体に埋め込まれ、且つ、プラグアダプタの磁気固定装置を受け入れて収容するように配置され、プラグアダプタは、電源コードのプラグにおける導電性コネクタを受け入れて収容するように配置されるか、又は電源コードのプラグに一体化される、メスの導電性コネクタに接続される変圧器の２次側を一端にて収容する本体によって形成され、プラグアダプタの本体の他端には磁気固定装置が設けられ、この磁気固定装置は、本体から突出し、コンセントアダプタの磁気固定装置の配置に適合する。
【００４７】
本発明によれば、コンセントアダプタを電源グリッドの標準規格に適合させることで、今日、世界中で使用されている既存の電気コンセントおよびプラグに、後付けするか又はそれらと交換することが可能な電力の非接触伝送用アダプタセンブリが達成される。
【００４８】
本発明によれば、プラグを介して、電気機器を電気コンセントに接続するための、より簡単でより安全な方法を提供する、電力の非接触伝送用アダプタセンブリが達成される。
【００４９】
本発明は、また、コンセントアダプタおよびプラグアダプタの導電性部品間に物理的接触がないため、安全性を高めることができる。これにより、子供や他の人たちが、コンセントアダプタに不意に接触しても感電することがない。
【００５０】
本発明によれば、特定の周波数のＡＣ電力を所望の周波数を有するＡＣ電力へ、あるいは、ＡＣ電力を所望のＤＣ電力へ、変換するように構成することが可能な、電力の非接触伝送用アダプタセンブリが提供される。所望のＤＣ電力への変換により、電気機器の電源に、変圧器／コンバータを設置する必要がなくなる。
【００５１】
本発明は、また、コンセントアダプタを電源に固定することができ、電気コンセントの安全性を高める、電力の非接触伝送用アダプタセンブリを提供する。
【００５２】
本発明は、可動部品がないため、摩耗がなく、さらに、発熱および火災のリスクが低減される。
【００５３】
本発明のさらなる好ましい特徴および有益な詳細は、以下の例示的な説明、特許請求の範囲、および添付の図面から明らかになるであろう。
【００５４】
以下、添付図面を参照して本発明をさらに詳細に説明する。
【図面の簡単な説明】
【００５５】
【図１ａ】従来技術に係る壁に取り付けられる標準的な電気コンセントの原理図である。
【図１ｂ】従来技術に係る壁に取り付けられる標準的な電気コンセントの原理図である。
【図１ｃ】従来技術に係る壁に取り付けられる標準的な電気コンセントの原理図である。
【図２ａ】本発明の第１実施形態に係る電力の非接触伝送用アダプタセンブリの原理図である。
【図２ｂ】本発明の第１実施形態に係る電力の非接触伝送用アダプタセンブリの原理図である。
【図２ｃ】本発明の第１実施形態に係る電力の非接触伝送用アダプタセンブリの原理図である。
【図３ａ】本発明に係る電力の非接触伝送手段の原理図である。
【図３ｂ】本発明に係る電力の非接触伝送手段の原理図である。
【図３ｃ】本発明に係る電力の非接触伝送手段の原理図である。
【図４】本発明に係るアダプタセンブリ用のコンセントアダプタを標準的な電気コンセントに挿入および／又は取り外すためのツールの原理図を伴う、第１実施形態に係る変形例の原理図である。
【図５ａ】本発明の第２実施形態に係る電力の非接触伝送用アダプタセンブリの原理図である。
【図５ｂ】本発明の第２実施形態に係る電力の非接触伝送用アダプタセンブリの原理図である。
【図６】従来技術に係るジャンクションボックスの原理図である。
【図７】本発明のさらなる実施形態に係る電力の非接触伝送用アダプタセンブリの原理図である。
【図８】本発明のさらなる実施形態に係る電力の非接触伝送用アダプタセンブリを示す図である。
【図９】本発明のさらなる実施形態に係る電力の非接触伝送用アダプタセンブリを示す図である。
【図１０】本発明のさらなる実施形態に係る電力の非接触伝送用アダプタセンブリを示す図である。
【図１１】本発明のさらなる実施形態に係る電力の非接触伝送用アダプタセンブリを示す図である。
【発明を実施するための形態】
【００５６】
図１ａ〜図１ｃを参照して、従来技術に係る壁に取り付けられる標準的な電気コンセントについて説明する。従来技術に係る電気コンセント１０は、ＡＣ電源グリッドに接続するように配置された、壁に取り付けられるジャンクションボックス１１によって形成されている。ジャンクションボックス１１は、電力消費装置、典型的には電気機器における電源コード２２（図２ｃ参照）のプラグ２０の導電性コネクタ２１を、受け入れるための端子１２を有している。電気コンセント１０は、ジャンクションボックス１１に固定されるコンセントカバー１３をさらに備え、コンセントカバー１３は、プラグ２０および導電性コネクタ２１を受け入れて収容するための穴１５を備えた凹部１４を有し、コンセントカバー１３は、プラグ２０を電気コンセント１０に安全に配置するとともに、導電性部品から環境を保護する。
【００５７】
次に、図２ａ〜図２ｃを参照して、本発明の第１実施形態に係る電力の非接触伝送用アダプタセンブリについて説明する。本発明の第１実施形態に係るアダプタセンブリは、本体１１１によって形成されるコンセントアダプタ１１０を備え、本体１１１の一端には、電気コンセント１０の種類に対応する導電性コネクタ１１２が設けられ、本体１１１の他端には、磁気固定手段１１３が設けられる。したがって、コンセントアダプタ１１０は、電気コンセント１０の凹部１４に受け入れられるように適合されるとともに、本発明に係るプラグアダプタ１２０を接続するための磁気固定手段１１３を提供する。本発明の第１実施形態に係るアダプタセンブリのプラグアダプタ１２０は、一端に、プラグ２０の導電性コネクタ２１を受け入れるように適合されたメスの導電性コネクタ１２２を備え、他端に、磁力によりコンセントアダプタ１１０に接続するように適合された磁気固定手段１２３が設けられている本体１２によって形成される。したがって、電源コード２２の当該プラグ２０にプラグアダプタ１２０を配置することで、本発明に係るアダプタセンブリにより、あらゆる種類の電源コード２２を電気コンセント１０に接続することが可能になる。
【００５８】
コンセントアダプタ１１０の磁気固定手段１１３は、本体１１１に埋め込まれていることが好ましい。一方、プラグアダプタ１２０の磁気固定手段１２３は、本体１２１の端部から突出していることが好ましい。このようにすると、プラグアダプタ１２０がコンセントアダプタ１１０に配置される際に、コンセントアダプタ１１０の磁気固定手段１１３は、プラグアダプタ１２０の磁気固定手段１２３を受け入れて収容するように配置される。磁気固定手段１１３，１２３の磁気保持力は、導電性コネクタ１１２とジャンクションボックス１１の端子１２との間の保持力よりも低いことが好ましい。好ましい実施形態では、磁気固定手段１１３，１２３は、主に円形を呈する。これにより、プラグアダプタ１２０を、コンセントアダプタ１１０に保持するのに十分な磁力を呈する適切な磁気接続が達成される。
【００５９】
本発明によれば、アダプタセンブリは、さらに、コンセントアダプタ１１０およびプラグアダプタ１２０に、電力の非接触伝送のために、導電性コネクタ１１２およびメスの導電性コネクタ１２２にそれぞれ接続される磁気固定手段１１３，１２３（又は誘導手段）をそれぞれ備えることで、電気コンセント１０とプラグアダプタ１２０との間での電力の非接触伝送用にも配置される。
【００６０】
本発明によれば、電源コード２２は、図２ｃおよび図８に示されるように、プラグアダプタ１２０と一緒に製造することも可能である。
【００６１】
次に、図３ａ〜図３ｃを参照してください。図３ａ〜図３ｃによれば、コンセントアダプタ１１０には変圧器１３２の１次側１３１が設けられ、プラグアダプタ１２０には変圧器１３２の２次側１３３が設けられている。そのため、コンセントアダプタ１１０およびプラグアダプタ１２０が、磁気固定手段１１３，１２３を介して互いに接続されると、変圧器１３２は、電力伝送部品間の物理的接触なしに、コンセントアダプタ１１０からプラグアダプタ１２０へ電力を伝送することができる。
【００６２】
変圧器１３２により、アダプタセンブリは、所与の周波数（例えば、５０〜６０Ｈｚ）で供給されたＡＣ電流／電圧（例えば、１１０Ｖ，２２０Ｖ，４００Ｖ）を、電源コード２２を介して、アダプタセンブリに接続された電気機器に適合された所望の周波数（例えば、５０〜６０Ｈｚ）にて所望出力のＡＣ電流／電圧（例えば、１１０Ｖ，２２０Ｖ，４００Ｖ）に変換することができる。
【００６３】
本発明に係るアダプタセンブリのさらなる実施形態によれば、変圧器１３０の２次側１３３、すなわち、プラグアダプタ１２０には、供給されたＡＣ電流／電圧（例えば、１１０Ｖ、２２０Ｖ、４００Ｖ）を、例えば、３、５、９、１２、２４、などのような所望のＤＣ電流／電圧に整流することができる整流器ユニット１３４をさらに備えている。したがって、プラグアダプタ１２０は、電源コード２２又は電気機器内における変圧器および／又は整流器を必要とせずに済む。
【００６４】
変圧器における１次側１３１および２次側１３３は、空気、鉄粉、又は、鉄により分離可能である。変圧器における１次側１３１および２次側１３３の２つの側面の間に、鉄粉、又は、鉄を使用する場合、これは、コンセントアダプタ１１０又はプラグアダプタ１２０のいずれか一方、又は、その両方に配置可能である。
【００６５】
したがって、プラグアダプタ１２０は、供給者が、標準的なプラグ２０を、電気機器の仕様に応じたＡＣ用又はＤＣ用に配置される本発明に係る統合プラグアダプタ１２０を備えるプラグと交換するまで、電源コード２２のプラグ２０に配置されることが可能となる。
【００６６】
次に、図４を参照して、上述のコンセントアダプタ１１０の変更実施形態について説明する。本発明に係るコンセントアダプタ１１０の変更実施形態によれば、本体１１１は、少なくとも１つのトラック１４０、好ましくは、直径方向に対抗する２つのトラック１４０が設けられ、これらのトラックは、トラック１４０に入るように設計されたクリップ１５０を受け入れるのに適している。クリップ１５０のひっかけ部、および、トラック１４０における対応する凹部によって、クリップ１５０は、コンセントアダプタ１１０に係合することができ、電気コンセント１０にコンセントアダプタ１１０を係合させ易くすることができる、あるいは、電気コンセント１０への挿入から、コンセントアダプタ１１０を引き抜き易くすることができる。
【００６７】
次に、図５ａ〜図５ｂを参照して、本発明の第２実施形態に係るアダプタセンブリのコンセントアダプタ１１０について説明する。第２実施形態では、コンセントアダプタ１１０は、標準的なコンセントカバー２０に取って代わるように適合されたコンセントカバー１６０内に一体化される。この実施形態では、コンセントカバー１６０は、コンセントアダプタ１１０が、例えば、所定の位置に鋳造されることによって、又は、適切な固定手段により固定されることによって、コンセントカバー１６０の中に固定されるように、コンセントアダプタ１１０と一緒に、事前に組み込まれている。この実施形態より、標準的なコンセントカバー２０を、ジャンクションボックス１１から取り外すことができ、ジャンクションボックス１１の端子１２に導電性コネクタ１１２を挿入し、および、標準的なねじ接続部１６１によるコンセントカバー１６０のジャンクションボックス１１への固定により、一体型のコンセントアダプタ１１０を備えるコンセントカバー１６０を、ジャンクションボックス１１に接続することが可能である。
【００６８】
次に、図６を参照して、標準的なジャンクションボックス１１の一例について説明する。標準的なジャンクションボックス１１は、供給者に関係無く、ＡＣ電源グリッドの各導体に接続するための導電性コネクタ１６と、導電性コネクタ１６に接続するための端子１２と、を備えている。上述の導電性コネクタ１６は、省略可能であり、ＡＣ電源グリッドの導体は、ジャンクションボックス１１に直接接続可能である。また、図７を参照して、本発明のさらなる実施形態に係るアダプタセンブリについて説明する。コンセントアダプタ１１０に加えて、上述のコンセントカバー１６０には、コンセントカバー１６０およびコンセントアダプタ１１０が予め配置され、一体化されたジャンクションボックス１１も有している。
【００６９】
このような実施形態では、コンセントカバー１６０に、ねじなどの締結手段１６３を収容するための貫通孔１６２を備えて、一体型のジャンクションボックス１１およびコンセントアダプタ１１０を有するコンセントカバー１６０を、壁２００に固定できるようにするのが好ましい。この実施形態より、本発明に係るコンセントカバー１６０は、上述の実施形態で使用されるようなジャンクションボックス１１に置き換えられる。この実施形態によれば、ＡＣ電源グリッドの導体を、ジャンクションボックス１１に直接接続することも可能であるし、そこに配置された導電性コネクタ１６に接続することも可能である。そして、ジャンクションボックス１１は、壁２００のキャビティ２０１内に受け入れることができ、コンセントカバー１６０は、図７に示すように、空洞２０１の外側の壁２００に固定されることが可能である。あるいは、外部配置のために壁２００の表面に固定されるように配置されることも可能である。
【００７０】
本発明のさらなる実施形態によれば、例えば、ヒューズのような形態の、少なくとも１つの安全装置（図示せず）が、コンセントアダプタ１１０又はプラグアダプタ１２０のどちらか、あるいは、これらの双方に配置される。
【００７１】
次に、図８および図９を参照して、本発明のさらなる実施形態に係るアダプタセンブリの原理図について説明する。図８は、電源コード２２に接続されたメスのプラグアダプタ１１０、および、電源コード２２に接続されたオスのコンセントアダプタ１２０を示している。メスのプラグアダプタ１１０が、オスのコンセントアダプタ１２０に磁気的に接続されると、延長コードが提供される。コンセントアダプタ１１０の磁石結合手段１１３は、前述したように、本体１１１に埋め込まれている。一方で、プラグアダプタ１２０の磁石結合手段１２３は、本体１２１の端部から突出している。プラグアダプタ１２０がコンセントアダプタ１１０に配置される際、コンセントアダプタ１１０の磁気固定手段１１３は、プラグアダプタ１２０の磁気固定手段１２３を受け入れて収容するように配置される。好ましい実施形態では、磁気固定手段１１３，１２３は、主に円形を呈する。これにより、プラグアダプタ１２０を、コンセントアダプタ１１０に保持するのに十分な磁力を呈する適切な磁気接続が達成される。
【００７２】
本発明によればアダプタセンブリは、それぞれの電源コード２２に接続されているコンセントアダプタ１１０とプラグアダプタ１２０が電力の非接触伝送のために、磁気固定手段１３１，１３２（又は誘導手段）をそれぞれ備えることにより、コンセントアダプタ１１０とプラグアダプタ１２０との間での電力の非接触伝送用に配置される。
【００７３】
図３ａ〜図３ｃに示されるように、コンセントアダプタ１１０は、変圧器１３２の１次側１３１を備え、プラグアダプタ１２０は、変圧器１３２の２次側１３３を備える。そのため、コンセントアダプタ１１０およびプラグアダプタ１２０が、磁気固定手段１１３，１２３を介して互いに接続されると、変圧器１３２は、電力伝送部品間の物理的接触なしに、コンセントアダプタ１１０からプラグアダプタ１２０へ電力を伝送することができる。
【００７４】
次に、図１０および図１１を参照して、本発明のさらなる実施形態に係るアダプタセンブリの原理図について説明する。図示の実施形態では、コンセントアダプタ１１０は、ジャンクションボックスのようなコンセントカバー１６０に一体化されており、典型的な電気コンセントと同じ方法で、壁の上又は壁内に取り付けられている。この実施形態では、コンセントカバー１６０は、コンセントアダプタ１１０が、例えば、所定の位置に成型されることによって、又は、適切な固定手段により固定されることによって、コンセントカバー１６０の中に固定されるように、コンセントと一緒に、事前に組み立てられる。
【００７５】
図１０では、電源コード２２に接続されたプラグアダプタ１２０は、コンセントカバーボックス１６０に一体化された下側のコンセントアダプタ１１０の下部に磁気的に接続されている。図１１では、電源コード２２に接続された標準プラグ２０が、先に開示したような、プラグアダプタ１２０に挿入されている。そして、コンセントアダプタ１２０は、コンセントカバー１６０又はカバーボックスに一体化された上側のコンセントアダプタ１１０に磁気的に接続される。
【図１ａ】
2020516229.tif 000003
【図１ｂ】
2020516229.tif 000004
【図１ｃ】
2020516229.tif 000005
【図２ａ】
2020516229.tif 000006
【図２ｂ】
2020516229.tif 000007
【図２ｃ】
2020516229.tif 000008
【図３ａ】
2020516229.tif 000009
【図３ｂ】
2020516229.tif 000010
【図３ｃ】
2020516229.tif 000011
【図４】
2020516229.tif 000012
【図５ａ】
2020516229.tif 000013
【図５ｂ】
2020516229.tif 000014
【図６】
2020516229.tif 000015
【図７】
2020516229.tif 000016
【図８】
2020516229.tif 000017
【図９】
2020516229.tif 000018
【図１０】
2020516229.tif 000019
【図１１】
2020516229.tif 000020
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
メスのコンセント（１１０）およびオスのプラグ（１２０）を備える電力の非接触伝送用アダプタアセンブリであって、
前記メスのコンセント（１１０）および前記オスのプラグ（１２０）は、
磁力による相互接続のための、それぞれ対応する磁気固定手段（１１３，１２３）を備え、
前記メスのコンセント（１１０）および前記オスのプラグ（１２０）は、
前記メスのコンセント（１１０）が変圧器（１３２）の１次側（１３１）を含み、前記オスのプラグ（１２０）が変圧器（１３２）の２次側（１３３）を含む、電力の非接触伝送用手段を備え、
前記メスのコンセント（１１０）および前記オスのプラグ（１２０）が、磁気固定手段（１１３，１２３）を介して互いに接続されると、前記変圧器（１３２）は、電力伝送部品間の物理的接触なしに、前記メスのコンセント（１１０）から前記オスのプラグ（１２０）へ電力を伝送することができ、
前記メスのコンセント（１１０）は、前記変圧器（１３２）の１次側（１３１）および前記磁気固定手段（１１３）を収容する本体（１１１）備え、
前記磁気固定手段（１１３）は、前記本体（１１１）に埋め込まれ、前記本体（１１１）の前面には、前記磁気固定手段（１１３）を備えた２つ以上の円形メス凹部が設けられて、前記オスのプラグ（１２０）の前記磁気固定手段（１２３）を受け入れて収容するように配置され、
前記オスのプラグ（１２０）は、前記変圧器（１３２）の２次側（１３３）および前記磁気固定手段（１２３）を収容する本体（１２１）を備え、
前記磁気固定手段（１２３）は、前記本体（１２１）から突出し、前記本体（１２１）の前面には、前記磁気固定手段（１２３）を備えた２つ以上の円形オス凸部が設けられて、前記メスのコンセント（１１０）の前記磁石固定手段（１１３）に適合するように配置される、
アダプタアセンブリ。
【請求項２】
前記メスのコンセント（１１０）は、ＡＣ電源コード（２２）に接続される、
ことを特徴とする、請求項１に記載のアダプタアセンブリ。
【請求項３】
前記オスのプラグ（１２０）は、ＡＣ電源コード（２２）に接続される、
ことを特徴とする、請求項１に記載のアダプタアセンブリ。
【請求項４】
２つのＡＣ電源コード（２２）を接続するための、前記メスのコンセント（１１０）がメスコネクタであり、前記オスのプラグ（１２０）がオスコネクタである、
ことを特徴とする請求項２又は３に記載のアダプタアセンブリ。
【請求項５】
２つ以上のメスのコンセント（１１０）は、本体において、上下に設けられており、
前記本体は、壁に設置するために配置されたコンセントカバーまたはカバーボックス（１６０）であり、
前記メスのコンセント（１１０）は、ＡＣ電源に接続されている、
ことを特徴とする請求項１に記載のアダプタアセンブリ。
【請求項６】
２つ以上のメスのコンセント（１１０）およびジャンクションボックス（１１）は、
壁（２００）のキャビティ（２０１）に適合して配置され、コンセントカバー（１６０）と一体化する、
ことを特徴とする、請求項１に記載のアダプタアセンブリ。
【請求項７】
前記変圧器（１３２）は、
特定の周波数で供給されるＡＣ電流／電圧を、所望の周波数の所望の出力ＡＣ電流／電圧に変換するように構成される、
ことを特徴とする請求項１に記載のアダプタアセンブリ。
【請求項８】
前記変圧器（１３２）は、
供給されるＡＣ電流／電圧を、所望のＤＣ電流／電圧に変換するように構成される、
ことを特徴とする請求項１に記載のアダプタアセンブリ。
【請求項９】
前記メスのコンセント（１１０）および／または前記オスのプラグ（１２０）は、
前記変圧器（１３２）の２次側（１３３）に接続された整流器ユニット（１３４）を備える、
ことを特徴とする請求項８に記載のアダプタアセンブリ。
【請求項１０】
前記メスのコンセント（１１０）は、
標準的な電気コンセント（１０）への、および／または標準的な電気コンセント（１０）からの配置に関連して、前記メスのコンセント（１１０）を、取り扱い易くするクリップ（１５０）を受け入れるように適合された少なくとも１つのトラック（１４０）を備える、
ことを特徴とする請求項１に記載のアダプタアセンブリ。
【請求項１１】
前記メスのコンセント（１１０）は、
一端がＡＣ電源に接続され、他端が前記オスのプラグ（１２０）に接続され、
前記オスのプラグ（１２０）は、
一端が電源コード（２２）に接続され、他端が前記メスのコンセント（１１０）に接続され、
前記メスのコンセント（１１０）および前記オスのプラグ（１２０）は、
それぞれ磁気固定手段（１１３，１２３）を備える、
ことを特徴とする請求項１に記載のアダプタアセンブリ。
【請求項１２】
電力の非接触伝送用メスのコンセント（１１０）であって、
前記メスのコンセント（１１０）は、磁気固定手段（１１３）および電力の非接触伝送用手段を備え、
前記メスのコンセント（１１０）は、電力伝送部品間の物理的接触無しに、前記メスのコンセント（１１０）から前記オスのプラグ（１２０）へ電力を伝送するための変圧器（１３２）の１次側（１３１）を含むことで、電力の非接触伝送用手段と、が設けられている、前記メスのコンセント（１１０）において、
前記メスのコンセント（１１０）は、変圧器（１３２）の１次側（１３１）および磁気固定手段（１１３）を収容する本体（１１１）を備え、
前記磁気固定手段（１１３）は、本体（１１１）に埋め込まれ、本体（１１１）の前面には、前記磁気固定手段（１１３）を備えた２つ以上の円形メス凹部が設けられて、前記オスのプラグ（１２０）における磁気固定手段（１２３）を受け入れて収容するように配置される、
ことを特徴とするメスのコンセント。
【請求項１３】
電力の非接触伝送用オスのプラグ（１２０）であって、
前記オスのプラグ（１２０）は、磁気固定手段（１２３）および電力の非接触伝送用手段を備え、
前記オスのプラグ（１２０）は、電力伝送部品間の物理的接触無しに、前記オスのプラグ（１２０）から前記メスのコンセント（１１０）へ電力を伝送するための変圧器（１３２）の２次側（１３３）を含むことで、電力の非接触伝送用手段と、が設けられている、前記オスのプラグ（１２０）において、
前記オスのプラグ（１２０）は、変圧器（１３２）の２次側（１３３）を収容する本体（１２１）および磁気固定手段（１２３）を備え、
前記磁気固定手段（１２３）は、本体（１２１）から突出し、本体（１２１）の前面には、前記磁気固定手段（１２３）を備えた２つ以上の円形オス凸部が設けられて、前記メスのコンセント（１１０）における磁気固定手段（１１３）に適合するように配置される、
ことを特徴とするオスのプラグ。
【国際調査報告】
2020516229.tif 000021
2020516229.tif 000022
2020516229.tif 000023